(57)【要約】【課題】釣銭機の設定を容易に行えるようにする。【解決手段】携帯端末２００は、釣銭機１００が保持すべき設定金額を、釣銭識別情報別に取得する設定金額取得部２０２と、取得した設定金額を、釣銭識別情報に紐づけて釣銭機１００に送信する送信部２０４と、を備える。【選択図】図６
2019164696.tif 000002
【特許請求の範囲】
【請求項１】
携帯型端末であって、
釣銭機が保持すべき設定金額を、釣銭識別情報別に取得する設定金額取得手段と、
取得した前記設定金額を、前記釣銭識別情報に紐づけて前記釣銭機に送信する送信手段と、を備える携帯端末。 
【請求項２】
請求項１に記載の携帯端末において、
前記送信手段は、近距離無線通信で、前記釣銭機に前記設定金額を送信する、携帯端末。
【請求項３】
請求項１又は２に記載の携帯端末において、
前記送信手段により前記設定金額を送信した後、設定が正常に終了したことを示す情報を基準時間以内に受信しなかった場合、その旨を通知する通知手段をさらに備える携帯端末。
【請求項４】
請求項１から３のいずれか一項に記載の携帯端末において、
前記送信手段は、複数の釣銭機に対して前記設定金額を送信して設定を行う、携帯端末。
【請求項５】
請求項４に記載の携帯端末において、
前記複数の釣銭機の各々の残金額を取得する残金額取得手段と、
前記複数の釣銭機の、前記設定金額と前記残金額の差額の総和を算出する差額算出手段と、をさらに備える携帯端末。
【請求項６】
請求項４または５に記載の携帯端末において、
前記送信手段により前記設定金額を送信した時、設定が正常に終了した設定済みの釣銭機を、未設定の釣銭機と識別可能に表示部に表示する表示処理手段をさらに備える、携帯端末。
【請求項７】
請求項４から６のいずれか一項に記載の携帯端末において、
前記釣銭機から、前記設定金額の設定完了情報を受信する受信手段をさらに備える携帯端末。
【請求項８】
請求項４から７のいずれか一項に記載の携帯端末において、
前記設定金額を設定済みの釣銭機の識別情報を店舗サーバに送信する設定完了情報送信手段をさらに備える携帯端末。
【請求項９】
請求項１から８のいずれか一項に記載の携帯端末において、
取引履歴を用いて前記釣銭識別情報別に前記設定金額の推奨値を算出する推奨値算出手段をさらに備え、
前記設定金額取得手段は、算出された前記推奨値を前記釣銭識別情報別の前記設定金額として取得し、
前記送信手段は、取得した前記推奨値を前記釣銭識別情報別の前記設定金額として前記釣銭機に送信する、携帯端末。
【請求項１０】
携帯端末から、釣銭機が保持すべき設定金額の設定変更が完了した釣銭機の識別情報を受信する受信手段と、
前記設定変更が完了した釣銭機と、未完了の釣銭機とを識別可能に出力する出力手段と、を備える情報処理装置。
【請求項１１】
外部から設定情報を受信する受信手段と、
受信した前記設定情報を表示部に表示する表示処理手段と、
前記設定情報の内容承諾の入力を受信すると、前記設定情報に従い釣銭種別毎に設定金額を設定する設定手段と、を備える釣銭機。
【請求項１２】
請求項１１に記載の釣銭機において、
前記受信手段は、近距離無線通信で、携帯端末から前記設定情報を受信する、釣銭機。
【請求項１３】
請求項１１又は１２に記載の釣銭機において、
前記設定手段による設定結果を出力する出力手段をさらに備える釣銭機。
【請求項１４】
釣銭機と、
釣銭機と近距離無線通信する携帯端末と、を備え、
前記携帯端末は、
釣銭識別情報別に、設定金額を取得する設定金額取得手段と、
取得した前記設定金額を、前記釣銭識別情報に紐づけて前記釣銭機に送信する送信手段と、を備え、
前記釣銭機は、
前記携帯端末から前記釣銭識別情報に紐づけた前記設定金額を含む設定情報を受信する受信手段と、
受信した前記設定情報を表示部に表示する表示処理手段と、
前記設定情報の内容承諾の入力を受信すると、前記設定情報に従い前記釣銭識別情報別に前記設定金額を設定する設定手段と、を備える、情報処理システム。
【請求項１５】
請求項１４に記載の情報処理システムにおいて、
さらに、店舗サーバを備え、
前記携帯端末において、
前記送信手段は、複数の釣銭機に対して前記設定金額を送信して設定させ、
前記携帯端末は、
前記複数の釣銭機から、前記設定金額の設定完了情報を受信する受信手段と、
前記設定完了情報を受信した設定済みの釣銭機の釣銭機識別情報を前記店舗サーバに送信する設定完了情報送信手段と、をさらに備え、
前記店舗サーバは、
前記携帯端末から、前記設定済みの釣銭機の前記釣銭機識別情報を受信する受信手段と、
受信した前記設定済みの釣銭機の前記釣銭機識別情報に基づいて、設定変更が完了した釣銭機と、未完了の釣銭機とを識別可能に出力する出力手段と、を備える情報処理システム。
【請求項１６】
携帯端末が、
釣銭機が保持すべき設定金額を、釣銭識別情報別に取得し、
取得した前記設定金額を、前記釣銭識別情報に紐づけて前記釣銭機に送信する、携帯端末の情報処理方法。
【請求項１７】
釣銭機が、
外部から設定情報を受信し、
受信した前記設定情報を表示部に表示し、
前記設定情報の内容承諾の入力を受信すると、前記設定情報に従い釣銭種別毎に設定金額を設定する、釣銭機の情報処理方法。
【請求項１８】
コンピュータに、
釣銭機が保持すべき設定金額を、釣銭識別情報別に取得する手順、
取得した前記設定金額を、前記釣銭識別情報に紐づけて前記釣銭機に送信する手順、を実行させるためのプログラム。
【請求項１９】
コンピュータに、
外部から設定情報を受信する手順、
受信した前記設定情報を表示部に表示する手順、
前記設定情報の内容承諾の入力を受信すると、前記設定情報に従い釣銭種別毎に設定金額を設定する手順、を実行させるためのプログラム。
【発明の詳細な説明】
【技術分野】
【０００１】
本発明は、釣銭機、携帯端末、情報処理システム、情報処理装置、並びに、釣銭機、および携帯端末の情報処理方法、およびプログラムに関する。
【背景技術】
【０００２】
店舗での代金のやり取りのミスを防ぎ、現金管理業務の効率化を図るために自動釣銭機が用いられている。店舗では、閉店後に所謂レジ締めの作業、つまり、釣銭機内の残高が一定の金額になるように翌日の釣銭用の準備金を残し、必要に応じて釣銭を補充した上で、残りの売上金の回収が行われる。
【０００３】
特許文献１には、釣銭機に接続されているＰＯＳ端末から、釣銭機に関する情報表示および釣銭機への指示入力を行うことが記載されている。特許文献２には、携帯端末を用いた釣銭機のエラー情報を撮像して取得し、エラー情報に対応するエラー解除情報を順次表示させることが記載されている。特許文献３には、現金管理装置において、複数の店舗の複数の釣銭機の現金の状態を管理し、釣銭機毎の現金管理に関する最適設定値を算出して釣銭機に通知することが記載されている。また、管理端末を用いて釣銭機の各種情報を各作業現場でリアルタイムに確認することが記載されている。
【先行技術文献】
【特許文献】
【０００４】
【特許文献１】特開２０１０−１４０１４２号公報
【特許文献２】特開２０１５−６９４７７号公報
【特許文献３】特開２０１５−１２５４７４号公報
【発明の概要】
【発明が解決しようとする課題】
【０００５】
釣銭機に対して行われる初期設定の変更作業は、釣銭機の操作パネルで行うか、若しくは釣銭機に接続されているＰＯＳ（Point Of Sales）端末で行うのが一般的である。しかし、これらは１台ずつ手入力になるため、煩雑であった。よって、上述した特許文献に記載されたシステムでは、複数の釣銭機をまとめて上位装置で管理することが記載されている。
【０００６】
しかしながら、上位装置でまとめて管理すると、逆に現場の事情が反映しにくいといった問題点も生じる。したがって、現場の状況に応じて、その店舗の従業員が簡単に設定変更を行えることが望まれる。
【０００７】
本発明は上記事情に鑑みてなされたものであり、その目的とするところは、釣銭機の設定を容易に行えるようにすることである。
【課題を解決するための手段】
【０００８】
本発明の各側面では、上述した課題を解決するために、それぞれ以下の構成を採用する。
【０００９】
第一の側面は、携帯型端末に関する。
第一の側面に係る携帯型端末は、
携帯型端末であって、
釣銭機が保持すべき設定金額を、釣銭識別情報別に取得する設定金額取得手段と、
取得した前記設定金額を、前記釣銭識別情報に紐づけて前記釣銭機に送信する送信手段と、
を有する。
【００１０】
第二の側面は、店舗サーバに関する。
第二の側面に係る店舗サーバは、
携帯端末から、釣銭機が保持すべき設定金額の設定変更が完了した釣銭機の識別情報を受信する受信手段と、
前記設定変更が完了した釣銭機と、未完了の釣銭機とを識別可能に出力する出力手段と、を有する。
【００１１】
第三の側面は、釣銭機に関する。
第三の側面に係る釣銭機は、
外部から設定情報を受信する受信手段と、
受信した前記設定情報を表示部に表示する表示処理手段と、
前記設定情報の内容承諾の入力を受信すると、前記設定情報に従い釣銭種別毎に設定金額を設定する設定手段と、を有する。
【００１２】
第四の側面は、情報処理システムに関する。
第四の側面に係る情報処理システムは、
釣銭機と、
釣銭機と近距離無線通信する携帯端末と、を含み、
前記携帯端末は、
釣銭識別情報別に、設定金額を取得する設定金額取得手段と、
取得した前記設定金額を、前記釣銭識別情報に紐づけて前記釣銭機に送信する送信手段と、を有し、
前記釣銭機は、
前記携帯端末から前記釣銭識別情報に紐づけた前記設定金額を含む設定情報を受信する受信手段と、
受信した前記設定情報を表示部に表示する表示処理手段と、
前記設定情報の内容承諾の入力を受信すると、前記設定情報に従い前記釣銭識別情報別に前記設定金額を設定する設定手段と、を有する。
【００１３】
第五の側面は、少なくとも１つのコンピュータにより実行される情報処理装置の情報処理方法に関する。
第五の側面に係る第一の情報処理装置は携帯端末であり、その情報処理方法は、
携帯端末が、
釣銭機が保持すべき設定金額を、釣銭識別情報別に取得し、
取得した前記設定金額を、前記釣銭識別情報に紐づけて前記釣銭機に送信する、ことを含む。
さらに、第五の側面に係る第二の情報処理装置は釣銭機であり、その情報処理方法は、
釣銭機が、
外部から設定情報を受信し、
受信した前記設定情報を表示部に表示し、
前記設定情報の内容承諾の入力を受信すると、前記設定情報に従い釣銭種別毎に設定金額を設定する、ことを含む。
【００１４】
なお、本発明の他の側面としては、上記第五の側面の各方法を少なくとも１つのコンピュータに実行させるプログラムであってもよいし、このようなプログラムを記録したコンピュータが読み取り可能な記録媒体であってもよい。この記録媒体は、非一時的な有形の媒体を含む。
このコンピュータプログラムは、コンピュータにより実行されたとき、コンピュータに、携帯端末、釣銭機、又は店舗サーバ上でその情報処理方法を実施させるコンピュータプログラムコードを含む。
【００１５】
なお、以上の構成要素の任意の組合せ、本発明の表現を方法、装置、システム、記録媒体、コンピュータプログラムなどの間で変換したものもまた、本発明の態様として有効である。
【００１６】
また、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【００１７】
また、本発明の方法およびコンピュータプログラムには複数の手順を順番に記載してあるが、その記載の順番は複数の手順を実行する順番を限定するものではない。このため、本発明の方法およびコンピュータプログラムを実施するときには、その複数の手順の順番は内容的に支障のない範囲で変更することができる。
【００１８】
さらに、本発明の方法およびコンピュータプログラムの複数の手順は個々に相違するタイミングで実行されることに限定されない。このため、ある手順の実行中に他の手順が発生すること、ある手順の実行タイミングと他の手順の実行タイミングとの一部ないし全部が重複していること、等でもよい。
【発明の効果】
【００１９】
上記各側面によれば、釣銭機の設定を容易に行えるようにすることができる。
【図面の簡単な説明】
【００２０】
【図１】本発明の実施の形態に係る店舗システムのシステム構成を概念的に示す図である。
【図２】本実施形態の釣銭機の構成を論理的に示す機能ブロック図である。
【図３】図２の釣銭機の設定記憶部のデータ構造の一例を示す図である。
【図４】図２の釣銭機を実現するコンピュータのハードウェア構成を示すブロック図である。
【図５】図２の釣銭機の外観図を示す。
【図６】本実施形態の携帯端末の構成を論理的に示す機能ブロック図である。
【図７】本実施形態の携帯端末および店舗サーバを実現するコンピュータの構成の一例を示す図である。
【図８】本実施形態の店舗システムの動作の一例を示すフローチャートである。
【図９】本実施形態の携帯端末の表示画面の一例を示す図である。
【図１０】本実施形態の釣銭機の表示画面の一例を示す図である。
【図１１】本実施形態の携帯端末の構成を論理的に示す機能ブロック図である。
【図１２】本実施形態の釣銭機の構成を論理的に示す機能ブロック図である。
【図１３】本実施形態の店舗システムの動作の一例を示すフローチャートである。
【図１４】本実施形態の釣銭機の表示画面の一例を示す図である。
【図１５】本実施形態の携帯端末の表示画面の一例を示す図である。
【図１６】本実施形態の設定確認リストの表示画面の一例を示す図である。
【図１７】本実施形態の携帯端末の構成を論理的に示す機能ブロック図である。
【図１８】本実施形態の店舗サーバの構成を論理的に示す機能ブロック図である。
【図１９】本実施形態の店舗システムの動作の一例を示すフローチャートである。
【図２０】他の実施形態の携帯端末の構成を論理的に示す機能ブロック図である。
【図２１】他の実施形態の携帯端末の構成を論理的に示す機能ブロック図である。
【発明を実施するための形態】
【００２１】
以下、本発明の実施の形態について、図面を用いて説明する。尚、すべての図面において、同様な構成要素には同様の符号を付し、適宜説明を省略する。
【００２２】
（第１の実施の形態）
図１は、本発明の実施の形態に係る店舗システム１のシステム構成を概念的に示す図である。店舗システム１は、ＰＯＳ（Point Of Sales）端末５と、ＰＯＳ端末５に接続される釣銭機１００と、店舗サーバ３００と、携帯端末２００と、を含む。図１では、店舗システム１は複数組みのＰＯＳ端末５と釣銭機１００を含む例を示しているか、本発明の店舗システム１は、少なくとも１組のＰＯＳ端末５と釣銭機１００を含む。
【００２３】
なお、本明細書の各図において、本発明の本質に関わらない部分の構成については省略してあり、図示されていない。例えば、ＰＯＳ端末５の構成について説明を省略する。
【００２４】
ＰＯＳ端末５と店舗サーバ３００は互いにネットワーク３ａを介して接続されてもよい。ネットワーク３ａは、特に限定されないが、ＬＡＮ（Local Area Network）、ＷＡＮ（Wide Area Network）等である。ネットワーク３ａの一部は公衆通信網であってもよい。また、店舗サーバ３００とＰＯＳ端末５間、ＰＯＳ端末５同士間のそれぞれのネットワークは異なる系統であってもよい。
【００２５】
釣銭機１００は、ＰＯＳ端末５で購入のために登録された商品の代金のうち、現金による支払について、貨幣の入出金を自動で行う。
【００２６】
携帯端末２００は、店舗の従業員が操作する携帯型の端末であり、例えば、スマートフォン、タブレット端末等である。
【００２７】
釣銭機１００には、貨幣が金種別に収納されているが、取引の過程で金種によって過不足が生じてくる。そのため、釣銭機１００内の残金を金種別に管理する必要がある。また、通常、閉店後のレジ締め作業において、翌日の営業に備えて所定の金額の釣銭を釣銭機１００に残し、それ以外の売上金を回収する。釣銭機１００の残金の設定方法としては、まず、残金総額（例えば、３万円）と、金種別に最低金額（最低金額の総額は、例えば、残金総額の半分の１万５千円）とを設定する。
【００２８】
そして、予め定めた順番に各金種を所定枚数（例えば、１０枚）ずつ釣銭機１００から払い出していく。このとき、金種毎に最低金額を下回らないように払い出す枚数を減らすか、または、その金種の払出を行わないように調整する。なお、金種別の最低金額を残すことができない場合、その金種については貨幣の補充を行う。全ての金種について所定枚数の払出が終わったら、最低金額に到達した金種の払い出しは行わずに残りの金種について同じ作業を繰り返す。例えば、２巡目以降は１巡目の払出枚数より少ない枚数（例えば、１〜数枚ずつ）としてもよい。そして、釣銭機１００の残金総額が設定金額（例えば、３万円）に到達したら払出を停止する。
【００２９】
これらの払出は、店舗の従業員がレジ締め作業として、釣銭機１００を操作して指示すると、釣銭機１００で予め設定された情報に基づいて行われる。店舗従業員は、釣銭機１００から払い出された売上金を回収し、また、釣銭の不足分の補充を釣銭機１００の指示に従い行う。
【００３０】
このように設定情報に基づく釣銭の補充は釣銭機１００の指示に従い行うことができるが、設定情報自体は店舗で定める必要がある。例えば、特定の曜日、特定の日、又は特定の期間（例えば、セール期間等）によって売上額も変動するため、釣銭の必要量も変動する。また、人手が少ない場合には、釣銭の補充作業が頻発に行えないため、最低金額を引き上げることができれば、釣銭切れのアラームの発生頻度を下げることもできる。このように、設定情報を日々変更できると都合がよい。
【００３１】
本発明では、この釣銭機１００の設定情報の変更作業を、携帯端末２００を用いて行うことで作業負荷を低減するものである。
【００３２】
図１には３台の携帯端末２００が描かれているが、店舗システム１は３台の携帯端末２００を含む必要はなく、少なくとも１台の携帯端末２００を含む。例えば、店舗の従業員などが、少なくとも１台の携帯端末２００を持ち歩いて複数のＰＯＳ端末５および店舗サーバ３００の各々と携帯端末２００を通信させればよい。
【００３３】
携帯端末２００は、釣銭機１００と、ブルートゥース（登録商標）、赤外線通信、又は非接触ＩＣ通信等の近距離通信で接続される。
さらに、携帯端末２００は、店舗サーバ３００とネットワーク３ｂを介して接続される。ネットワーク３ｂは、特に限定されないが、ＬＡＮ（Local Area Network）、ＷＡＮ（Wide Area Network）等である。ネットワーク３ｂの一部は公衆通信網であってもよい。あるいは、店舗サーバ３００が店舗内にある場合、ブルートゥース（登録商標）、赤外線通信、又は非接触ＩＣ通信等の近距離通信で接続されてもよい。
【００３４】
＜釣銭機＞
図２は、本実施形態の釣銭機１００の構成を論理的に示す機能ブロック図である。
釣銭機１００は、受信部１０２と、表示処理部１０４と、設定部１０６と、を備える。
受信部１０２は、外部から設定情報を受信する。
表示処理部１０４は、受信した設定情報を表示部（後述するタッチパネル６０）に表示する。
設定部１０６は、設定情報の内容承諾の入力を受信すると、設定情報に従い釣銭種別毎に設定金額を設定する。
【００３５】
釣銭機１００は、さらに、設定記憶部１１０を備えてもよい。設定記憶部１１０は、釣銭機１００の内部の記憶装置であってもよいし、外部の記憶装置であってもよい。
図３は、設定記憶部１１０のデータ構造の一例を示す図である。設定記憶部１１０には、金種別に最低金額が枚数又は金額で記憶されている。さらに、設定記憶部１１０は、金種別の最低金額から算出された金額の合計と残金総額も記憶している。
【００３６】
図３では、金種を「１円」、「５円」、・・・、「５０００円」等と表記しているが、データとしては釣銭識別情報（例えば、a01, a02, …, a12等）に金額又は枚数を紐付けて記憶しているものとする。
【００３７】
設定情報とは、上記した釣銭機１００が保持すべき設定金額であり、設定金額とは、例えば、一日の最後、又は翌営業日の始まりにおける釣銭残金の総額と、金種別の最低金額との設定値である。受信部１０２が受信した設定情報は、設定記憶部１１０に格納される。また、設定情報とは、設定変更を行うことを示す情報（例えば、初期設定値に戻す、又は予め定めた設定値に設定を変更する等の指示）であってもよい。
【００３８】
設定記憶部１１０には、上記したように、上記設定値や、予め定めた設定値（例えば、週末用、平日用、セール用等）の情報を複数記憶してもよい。
【００３９】
受信部１０２が設定情報を受信する外部とは、例えば、携帯端末２００である。また、携帯端末２００以外に、ＰＯＳ端末５から受信してもよい。あるいは、釣銭機１００の操作部（後述するタッチパネル６０）を用いて設定情報を入力又は変更できてもよい。
【００４０】
内容承諾の入力の受信とは、釣銭機１００の操作部（タッチパネル６０）の操作の受け付け、あるいは、携帯端末２００又はＰＯＳ端末５からの設定変更確定の指示の受信である。
【００４１】
図４は、釣銭機１００を実現するコンピュータのハードウェア構成を示すブロック図である。図５は、本実施形態の釣銭機１００の外観図を示す。図５（ａ）は、釣銭機１００の上面図であり、図５（ｂ）は、釣銭機１００の正面図である。
【００４２】
図４に示すように、釣銭機１００（コンピュータ）は、ＣＰＵ（Central Processing Unit）１０、メモリ１２、メモリ１２にロードされた釣銭機１００の構成要素（不図示）を実現するプログラム２０、そのプログラム２０を格納するストレージ１４、Ｉ／Ｏ（Input/Output）１６、および外部装置接続用のインタフェース（Ｉ／Ｆ１８）を備える。
【００４３】
ＣＰＵ１０、メモリ１２、ストレージ１４、Ｉ／Ｏ１６、Ｉ／Ｆ１８は、バスを介して互いに接続され、ＣＰＵ１０により釣銭機１００全体が制御される。ただし、ＣＰＵ１０などを互いに接続する方法は、バス接続に限定されない。
【００４４】
ＣＰＵ１０は、ＧＰＵ（Graphics Processing Unit）などでもよい。メモリ１２は、ＲＡＭ（Random Access Memory）やＲＯＭ（Read Only Memory）などのメモリである。ストレージ１４は、ＨＤＤ（Hard Disk Drive）、ＳＳＤ（Solid State Drive）、またはメモリカードなどの記憶装置である。
【００４５】
ストレージ１４は、ＲＡＭやＲＯＭなどのメモリであってもよい。ストレージ１４は、釣銭機１００の内部に設けられてもよいし、釣銭機１００がアクセス可能であれば、釣銭機１００の外部に設けられ、釣銭機１００と有線または無線で接続されてもよい。あるいは、釣銭機１００に着脱可能に設けられてもよい。
【００４６】
ＣＰＵ１０が、ストレージ１４に記憶されるプログラム２０をメモリ１２に読み出して実行することにより、図２の釣銭機１００の各ユニットの各機能を実現することができる。
【００４７】
Ｉ／Ｏ１６は、釣銭機１００と入出力装置間のデータおよび制御信号の入出力制御を行う。入出力装置とは、たとえば、釣銭機１００のタッチパネル２２（図５のタッチパネル６０）、操作スイッチ２４、ＬＥＤ表示器２６（図５のガイドランプ６４）、およびスピーカ（不図示）等を含み、また、これらの入出力装置と釣銭機１００のインタフェースユニットを含んでもよい。
【００４８】
Ｉ／Ｆ１８は、釣銭機１００と外部装置との接続用インタフェースである。外部装置は、例えば、硬貨処理部３０、紙幣処理部３２、回収カセット処理部３４、および通信処理部３６を含む。
【００４９】
図５に示すように、釣銭機１００は、硬貨投入口４０と、硬貨リジェクト口４２と、硬貨出金口４４と、紙幣入出金口４６と、回収カセット４８と、収納庫５０と、を備えている。
【００５０】
硬貨投入口４０は、投入される硬貨を受け入れる開口部を有し、硬貨投入口４０に投入された硬貨は硬貨処理部３０により金種別（１円、５円、１０円、５０円、１００円、５００円）に分類され、収納庫５０に収納されるようになっている。硬貨投入口４０には、ガイドランプ６４が設けられてもよく、硬貨投入口４０に硬貨が投入されたとき、硬貨処理部３０により硬貨の投入が検知され、ガイドランプ６４を点灯又は点滅させる。
【００５１】
硬貨リジェクト口４２は、硬貨投入口４０に投入された硬貨のうち、硬貨処理部３０によって正常に識別できなかったものが排出される開口部を有する。硬貨リジェクト口４２にはガイドランプ６４が設けられてもよく、硬貨がリジェクトされた場合、硬貨処理部３０により、ガイドランプ６４を点灯又は点滅させて、店員又は顧客に硬貨が返却されたことを知らせることができる。
【００５２】
硬貨出金口４４は、釣銭のうち硬貨が排出される開口部を有する。硬貨出金口４４にもガイドランプ６４が設けられてもよく、硬貨が硬貨出金口４４に排出された場合、硬貨処理部３０により、ガイドランプ６４を点灯又は点滅させて、店員又は顧客に硬貨が排出されたことを知らせることができる。
【００５３】
紙幣入出金口４６は、代金として入金される紙幣を受け入れるとともに、釣銭として出金される紙幣が排出される開口部を有する。紙幣入出金口４６の開口部において紙幣が検知されると、紙幣処理部３２によって、紙幣を自走で受入又は排出させる機構の動作が制御され、紙幣が収納庫５０に金種別（千円、５千円、１万円）に格納されて入金され、又は収納庫５０から取り出されて出金される。
【００５４】
また、回収カセット処理部３４は、２千円札紙幣を検知し、回収カセット４８に格納する。また、収納庫５０に入り切らない貨幣も回収カセット処理部３４により回収カセット４８に格納される。
【００５５】
通信処理部３６は、外部装置との通信処理を行うためのインタフェース部である。例えば、ＬＡＮ（Local Area Network）等に接続する有線又は無線通信ネットワークインタフェースでもよいし、ブルートゥース（登録商標）、赤外線通信、又は非接触ＩＣ通信等の近距離通信用のインタフェースでもよい。たとえば、釣銭機１００は、ブルートゥースで携帯端末２００と接続されるとともに、ＬＡＮ等のネットワークを介してＰＯＳ端末５と接続される。
【００５６】
図２の本実施形態の釣銭機１００の各構成要素は、図４のコンピュータ（ＣＰＵ１０）のハードウェアとソフトウェアの任意の組合せによって実現される。そして、その実現方法、装置にはいろいろな変形例があることは、当業者には理解されるところである。以下説明する各実施形態の釣銭機１００を示す機能ブロック図は、ハードウェア単位の構成ではなく、論理的な機能単位のブロックを示している。
【００５７】
本実施形態のコンピュータプログラム２０は、例えば、釣銭機１００を実現させるためのコンピュータ（図４のＣＰＵ１０）に、外部から設定情報を受信する手順、受信した設定情報を表示部に表示する手順、設定情報の内容承諾の入力を受信すると、設定情報に従い釣銭種別毎に設定金額を設定する手順、を実行させるように記述されている。
【００５８】
本実施形態のコンピュータプログラム２０は、コンピュータ（図４のＣＰＵ１０）で読み取り可能な記録媒体に記録されてもよい。記録媒体は特に限定されず、様々な形態のものが考えられる。また、プログラム２０は、記録媒体からコンピュータのメモリ１２にロードされてもよいし、ネットワークを通じてコンピュータにダウンロードされ、メモリ１２にロードされてもよい。
【００５９】
コンピュータプログラム２０を記録する記録媒体は、非一時的な有形のコンピュータが使用可能な媒体を含み、その媒体に、コンピュータが読み取り可能なプログラムコードが埋め込まれる。コンピュータプログラム２０が、コンピュータ上で実行されたとき、コンピュータに、釣銭機１００を実現する以下の処理方法を実行させる。
【００６０】
＜携帯端末＞
図６は、本実施形態の携帯端末２００の構成を論理的に示す機能ブロック図である。
携帯端末２００は、設定金額取得部２０２と、送信部２０４と、を備える。
設定金額取得部２０２は、釣銭機１００が保持すべき設定金額を、釣銭識別情報別に取得する。
送信部２０４は、取得した設定金額を、釣銭識別情報に紐づけて釣銭機１００に送信する。
【００６１】
ここで設定金額とは、上記した設定情報（設定変更を行うことを示す情報）を含んでもよい。
設定金額の取得方法は、携帯端末２００で手入力された設定金額を読み取るか、あるいは、ＰＯＳ端末５又は店舗サーバ３００から受信する。あるいは、ユーザ登録した所定のウェブサイトにログインして、設定金額を登録しておき、ウェブサイトから設定金額をダウンロードして取得してもよい。
【００６２】
携帯端末２００では、設定金額の入力を受け付ける画面（不図示）で金種毎に枚数又は金額と、釣銭残金総額の値の入力を受け付けることができる。また、手入力で入力する場合は、初期値、前回設定値又は前回受信した値から変更する方法でもよい。また、金種別の枚数又は金額のどちらか一方を入力すると他方は自動的に変更されてもよい。会計金額も金種別の枚数又は金額の入力毎に変更されるのが好ましい。また、金種別の枚数と金額の両方の入力を受け付けた場合、整合性チェックを行い、正しくない場合はユーザに通知する構成を有してもよい。入力が終了した後、メモリ１２又はストレージ１４に記憶されている設定金額情報を更新する。また、上記した初期値又は予め定めた設定値を選択する画面（不図示）を表示して、選択された設定値を読み出して設定金額を取得してもよい。
【００６３】
送信部２０４は、ブルートゥース（登録商標）、赤外線通信、又は非接触ＩＣ通信等の近距離無線通信で設定金額を釣銭機１００に送信する。
【００６４】
図７は、本実施形態の携帯端末２００を実現するコンピュータ８０の構成の一例を示す図である。また、図１のＰＯＳ端末５および後で詳細に説明する店舗サーバ３００も図７に示すコンピュータ８０によって実現される。本実施形態のコンピュータ８０は、ＣＰＵ（Central Processing Unit）８２、メモリ８４、メモリ８４にロードされたプログラム９０、そのプログラム９０を格納するストレージ８５、Ｉ／Ｏ（Input/Output）８６、およびネットワーク接続用インタフェースである通信Ｉ／Ｆ（InterFace）８７を備える。
【００６５】
ＣＰＵ８２、メモリ８４、ストレージ８５、Ｉ／Ｏ８６、および通信Ｉ／Ｆ８７は、相互にデータを送受信するためのデータ伝送路（例えば、バス８９）を介して互いに接続されている。ただし、ＣＰＵ８２などを互いに接続する方法は、バス接続に限定されない。ＣＰＵ８２は、メモリ８４、ストレージ８５、Ｉ／Ｏ８６、および通信Ｉ／Ｆ８７などの各装置を制御する。コンピュータ８０は、ＣＰＵ８２以外に、ＧＰＵ（Graphics Processing Unit）等のプロセッサを含んでもよい。
【００６６】
メモリ８４は、例えば、ＲＡＭ（Random Access Memory）やＲＯＭ（Read Only Memory）などのメモリである。ストレージ８５は、ＨＤＤ（Hard Disk Drive）、ＳＳＤ（Solid State Drive）、またはメモリカードなどの記憶装置である。
【００６７】
ストレージ８５は、ＲＡＭやＲＯＭなどのメモリであってもよい。ストレージ８５は、コンピュータ８０の内部に設けられてもよい。または、コンピュータ８０がアクセス可能であれば、コンピュータ８０の外部に設けられ、コンピュータ８０と有線または無線で接続されてもよい。あるいは、ストレージ８５は、コンピュータ８０に着脱可能に設けられてもよい。
【００６８】
ストレージ８５は、各装置が備える各処理部の機能を実現するプログラムモジュールを記憶している。ＣＰＵ８２は、これら各プログラムモジュールを実行することで、各処理部（例えば、図６の携帯端末２００の設定金額取得部２０２および送信部２０４のうちの少なくともいずれか）の機能をそれぞれ実現する。ここで、ＣＰＵ８２は、上記各プログラムモジュールを実行する際、これらのプログラムモジュールをメモリ８４上に読み出してから実行してもよいし、メモリ８４上に読み出さずに実行してもよい。
【００６９】
Ｉ／Ｏ８６は、コンピュータ８０と他の入出力装置間のデータおよび制御信号の入出力制御を行う。他の入出力装置とは、たとえば、コンピュータ８０に接続されるキーボード、タッチパネル、マウス、およびマイクロフォン等の入力装置（不図示）と、各種ディスプレイ、プリンタ、およびスピーカ等の出力装置（不図示）である。なお、ディスプレイと入力装置は一体化され、タッチパネルとして実現されていてもよい。また、他の入力装置は、上記した入力装置または出力装置とコンピュータ８０のインタフェースであってもよい。
【００７０】
他の記録媒体の読取または書込装置の例として、ＩＣカードや磁気カードを読み取るカードリーダがある。このカードリーダは、カードが挿入される挿入口と、カード自走機構と、読取部とを含む。カード自走機構は、挿入口に挿入されたカードを自走させて取り込んだり、カードを挿入口から排出させたりする。読取部は、ＩＣカードや磁気カード等に記録された情報を読み取る。また、カードリーダは、非接触型のものであってもよい。その場合は挿入口とカード自走機構は含まれない。また、接触型と非接触型の両方の読取装置をそれぞれ備えてもよい。
【００７１】
通信Ｉ／Ｆ８７は、コンピュータ８０と外部の装置との通信を行うためのネットワーク接続用インタフェースである。通信Ｉ／Ｆ８７は、有線回線と接続するためのネットワークインタフェースでもよいし、無線回線と接続するためのネットワークインタフェースでもよい。なお、通信Ｉ／Ｆ８７を介して各装置間を接続する方法は様々である。例えば、この接続は、ネットワーク回線を介したネットワーク接続や、バス回線（例えばＵＳＢ回線）を介したバス接続などを含む。
【００７２】
本実施形態の図６の携帯端末２００の各構成要素は、図７のコンピュータ８０のハードウェアとソフトウェアの任意の組合せによって実現される。そして、その実現方法、装置にはいろいろな変形例があることは、当業者には理解されるところである。以下説明する各実施形態の携帯端末２００又は店舗サーバ３００を示す機能ブロック図は、ハードウェア単位の構成ではなく、論理的な機能単位のブロックを示している。
【００７３】
本実施形態のコンピュータプログラム９０は、図６の携帯端末２００を実現させるためのコンピュータ８０に、釣銭機１００が保持すべき設定金額を、釣銭識別情報別に取得する手順、取得した設定金額を、釣銭識別情報に紐づけて前記釣銭機に送信する手順、を実行させるように記述されている。
【００７４】
本実施形態のコンピュータプログラム９０は、コンピュータ８０で読み取り可能な記録媒体に記録されてもよい。記録媒体は特に限定されず、様々な形態のものが考えられる。また、プログラム９０は、記録媒体からコンピュータ８０のメモリ８４にロードされてもよいし、ネットワークを通じてコンピュータ８０にダウンロードされ、メモリ８４にロードされてもよい。
【００７５】
コンピュータプログラム９０を記録する記録媒体は、非一時的な有形のコンピュータが使用可能な媒体を含み、その媒体に、コンピュータが読み取り可能なプログラムコードが埋め込まれる。コンピュータプログラム９０が、コンピュータ上で実行されたとき、コンピュータに、携帯端末２００又は店舗サーバ３００を実現する後述する本発明の処理方法を実行させる。
【００７６】
図８は、本実施形態の店舗システム１の動作の一例を示すフローチャートである。
本実施形態の携帯端末２００の情報処理方法において、携帯端末２００が、釣銭機１００が保持すべき設定金額を、釣銭識別情報別に取得し（ステップＳ１０１）、取得した設定金額を、釣銭識別情報に紐づけて釣銭機１００に送信する（ステップＳ１０３）。
【００７７】
さらに、本実施形態の釣銭機１００の情報処理方法において、釣銭機１００が、外部から設定情報を受信し（ステップＳ１１１）、受信した設定情報を表示部（タッチパネル６０）に表示し（ステップＳ１１３）、設定情報の内容承諾の入力を受信すると（ステップＳ１１５のＹＥＳ）、設定情報に従い釣銭種別毎に設定金額を設定する（ステップＳ１１７）。
【００７８】
具体的には、まず、携帯端末２００において、アプリケーションを起動して釣銭機１００の設定金額の設定を受け付ける画面（例えば、図９（ａ）の設定リスト画面２５０）を表示部（携帯端末２００のタッチパネル等）（不図示）に表示する。
店舗の従業員等のユーザ操作によって設定入力が行われ、設定金額が更新される。設定金額取得部２０２は、携帯端末２００のメモリ８４又はストレージ８５に記憶されている設定金額を読み出して取得する（ステップＳ１０１）。
【００７９】
あるいは、釣銭機１００の設定金額を店舗サーバ３００からダウンロードする画面を表示部に表示し、設定金額のダウンロードの指示を受け付けると、設定金額取得部２０２は、店舗サーバ３００に設定金額をリクエストして店舗サーバ３００から設定金額を受信し（ステップＳ１０１）、メモリ８４又はストレージ８５に記憶する。
【００８０】
設定金額取得部２０２が設定金額を取得すると、図９（ａ）の設定リスト画面２５０に設定金額のリストが表示部に表示される。送信ボタン２５２の押下を受け付けると、送信部２０４は、設定金額、すなわち、設定情報を釣銭機１００に送信する（ステップＳ１０３）。送信中、携帯端末２００には、図９（ｂ）の画面２６０が表示される。そして、釣銭機１００では、受信部１０２が携帯端末２００から設定情報を受信する（ステップＳ１１１）。
【００８１】
釣銭機１００では、設定情報を受信すると、設定記憶部１１０に格納する。そして、表示処理部１０４が、受信した設定情報（図１０（ａ）の画面２７０）を表示部（タッチパネル６０）に表示する（ステップＳ１１３）。そして、画面２７０をスクロールしてリストの下部まで表示させると、受信した設定を釣銭機１００の内部設定に反映させるか否かを問い合わせる画面２７０ｂ（図１０（ｂ））が表示される。設定情報の更新を承諾する操作ボタン（はいボタン２７２）の押下を受け付けると（ステップＳ１１５のＹＥＳ）、設定部１０６は、受信した設定金額情報に従い、釣銭機１００の釣銭残金の総額と、金種別の最低金額を設定する。すなわち、設定記憶部１１０の設定金額情報を更新する（ステップＳ１１７）。はいボタン２７２の押下を受け付けるまで（ステップＳ１１５のＮＯ）、画面２７０を表示する（ステップＳ１１３）。
【００８２】
また、画面２７０は、設定情報の更新を承諾しない操作ボタン（いいえボタン２７４）を含んでもよく、いいえボタン２７４の押下を受け付けると（ステップＳ１１５のＮＯ）、釣銭機１００の処理を終了してよい。
【００８３】
また、釣銭機１００において、図１０（ｂ）の画面２７０ｂのいいえボタン２７４の押下を受け付けた場合、すなわち、釣銭機１００で携帯端末２００から受信した設定金額に基づく設定値の更新が承諾されなかった場合も、出力部１２０は、設定が正常に終了しなかった旨を示す情報を設定結果として携帯端末２００に送信する。
【００８４】
以上説明したように、本実施形態によれば、携帯端末２００は釣銭機１００の金種別の設定金額を取得し、釣銭機１００に送信し、釣銭機１００は、携帯端末２００から受信した設定情報を釣銭機１００のタッチパネル６０に表示し、内容承諾の確認後に釣銭機１００の設定記憶部１１０に記憶する。店員が釣銭機１００のタッチパネル６０の画面を操作して１台ずつ手入力で金種別に設定金額を設定するのは手間がかかっていたが、本実施形態では、上記構成によって、携帯端末２００で既に設定済みの情報を釣銭機１００に送信するだけで済むため作業負荷が大幅に低減する。
【００８５】
また、店員が手入力で設定する場合に比較して、入力ミスを防ぐことができる。手入力で設定していた場合には、誤入力を発見するためには１台ずつタッチパネル６０で設定内容を確認する必要があったため、手間がかかっていたし、そもそも誤入力に気づけない可能性もあった。本実施形態の構成によれば、これらの問題も解消できる。
【００８６】
（第２の実施の形態）
図１１は、本実施形態の携帯端末２００の構成を論理的に示す機能ブロック図である。
本実施形態の携帯端末２００は、釣銭機１００における設定が正常に終了したか否かを確認できる構成を有する点以外は上記実施形態と同様である。
【００８７】
携帯端末２００は、図６の上記実施形態の構成に加え、さらに、通知部２１０と、表示処理部２１２と、設定完了情報受信部２１４と、を少なくとも一つ備える。通知部２１０と、表示処理部２１２と、設定完了情報受信部２１４とは、適宜組み合わせることができる。
【００８８】
通知部２１０は、送信部２０４により設定金額を送信した後、設定が正常に終了したことを示す情報を基準時間以内に受信しなかった場合、その旨を通知する。
表示処理部２１２は、送信部２０４により設定金額を送信した時、設定が正常に終了した設定済みの釣銭機１００を、未設定の釣銭機１００と識別可能に表示部に表示する。
設定完了情報受信部２１４は、釣銭機１００から、設定金額の設定完了情報を受信する。
【００８９】
本実施形態において、携帯端末２００の送信部２０４は、複数の釣銭機１００に対して設定金額、すなわち、設定情報を送信し、各釣銭機１００の設定変更を行うことができる。
【００９０】
この構成において、設定金額取得部２０２は、釣銭機１００毎に設定金額を取得してもよい、所定のグループ別に異なる設定金額を取得してもよい。また、送信部２０４は、１台ずつに設定情報を送信してもよいし、複数の釣銭機１００に同時に設定情報を一斉送信してもよい。例えば、設定情報をブロードキャストで送信してもよい。また、釣銭機１００の識別情報毎に設定情報を紐付けて、複数の釣銭機１００の設定情報をまとめて送信し、釣銭機１００側で、自装置の識別情報に紐付けられている設定情報を選択して取得してもよい。
【００９１】
設定が正常に終了しない状態とは、例えば、釣銭機１００からエラーが返信される（例えば、釣銭機ＩＤが一致しない）、釣銭機１００の応答がない（タイムアウト）等である。また、通知部２１０による通知方法は、例えば、携帯端末２００の表示部にメッセージ、アイコン、画像、アニメーション等を表示したり、ポップアップ画面を表示したり、音声を出力する等の方法が考えられる。
【００９２】
また、設定金額の設定完了情報は、設定が正常に終了したか否かを示す情報（設定結果）を含む。つまり、設定が正常に終了したことを示す情報、および設定が正常に終了しなかったことを示す情報の少なくとも一方を含む。さらに、携帯端末２００は、送信部２０４が設定情報を送信後、設定結果を基準時間以内に受信しなかった場合も、設定が正常に終了しなかったものと判断する。
【００９３】
また、表示処理部２１２は、釣銭機１００から設定結果の受信の有無に関係なく、設定情報の送信処理が正常に完了したら、当該釣銭機１００への設定は完了済みとして表示してもよい。または、表示処理部２１２は、送信完了／未完了、設定結果受信完了／未完了、設定正常完了／設定エラー等を区別して表示してもよい。
【００９４】
また、設定完了情報受信部２１４が受信する設定完了情報は、設定が完了したことを示す情報、設定が完了しなかったことを示す情報、および、設定変更後の設定金額の情報のうつ少なくとも一つを含む。また、複数の釣銭機１００からの情報を受信する構成では、釣銭機１００の識別情報を含む情報を受信する。
表示処理部２１２は、設定完了情報受信部２１４が受信した設定完了情報に従い、設定完了と設定未完了を識別可能に表示してもよい。
【００９５】
釣銭機１００の識別情報は、特に限定されないが、任意に定められてもよいし、または、ＩＰ（Internet Protocol）アドレスであってもよい。
【００９６】
図１２は、本実施形態の釣銭機１００の構成を論理的に示す機能ブロック図である。
釣銭機１００は、図２の上記実施形態の構成に加え、さらに、出力部１２０を備える。
出力部１２０は、設定部１０６による設定結果を出力する。
【００９７】
出力部１２０の設定結果の出力先は、釣銭機１００の表示部（例えば、タッチパネル６０、又はＬＥＤ（Light Emitting Diode）表示器（不図示）等）、携帯端末２００、あるいは、他の外部装置を含む。ＬＥＤ表示器の場合は、例えば、設定エラー時には赤色ＬＥＤを点滅点灯、設定正常完了時には緑色ＬＥＤを点灯してもよい。
【００９８】
設定結果は、設定が成功したことを示す情報（設定正常完了）、設定が失敗したことを示す情報（設定失敗、設定未完了、又はエラーコード（ＩＤ不一致、通信エラー等）等）の少なくとも一つを含む。
【００９９】
図１３は、本実施形態の店舗システム１の動作の一例を示すフローチャートである。
図１３では、図８の上記実施形態のフローチャートのステップＳ１０１とステップＳ１１１〜ステップＳ１１７を省略しているが、図８の携帯端末２００のステップＳ１０１および釣銭機１００のステップＳ１１７の続きを示している。
【０１００】
携帯端末２００の設定金額取得部２０２が設定金額を取得した後、送信部２０４が設定金額を含む設定情報を釣銭機１００に送信すると（ステップＳ１０３）、釣銭機１００では、図８のステップＳ１０１〜ステップＳ１１７の処理が行われた後、設定部１０６による設定情報の変更処理が正常に終了したか否かが判定され（ステップＳ２１１）、その結果を出力部１２０が出力する。
【０１０１】
正常に終了しなかった場合（ステップＳ２１１のＮＯ）、出力部１２０は、設定が正常に終了しなかったことを示す情報を出力する（ステップＳ２１３）。本実施形態では、出力部１２０は、設定エラー情報を携帯端末２００に送信し、本処理を終了する。
【０１０２】
正常に終了した場合（ステップＳ２１１のＹＥＳ）、出力部１２０は、設定が正常に終了したことを示す情報を出力する（ステップＳ２１５）。本実施形態では、出力部１２０は、設定正常完了情報を携帯端末２００に送信し、本処理を終了する。
【０１０３】
また、出力部１２０は、図１４（ａ）に示すように、設定変更処理中（図８のステップＳ１１７）は画面１５０をタッチパネル６０に表示する。そして、設定が正常に終了した場合（ステップＳ２１１のＹＥＳ）、出力部１２０は、設定が正常に終了したことを示す、図１４（ｂ）の画面１５２をタッチパネル６０に表示する（ステップＳ２１５）。また、設定が正常に終了しなかった場合（ステップＳ２１１のＮＯ）、出力部１２０は、設定が正常に終了しなかったことを示す、図１４（ｃ）の画面１５４をタッチパネル６０に表示する（ステップＳ２１５）。このように、出力部１２０は設定結果を、携帯端末２００に送信するとともに、釣銭機１００のタッチパネル６０に表示する。本実施形態では、出力部１２０により設定結果の送信と表示の両方を行っているが、いずれか一方でもよい。
【０１０４】
そして、携帯端末２００において、ステップＳ１０３で送信部２０４により設定金額を含む設定情報を送信した後、設定完了情報受信部２１４が、設定が正常に終了したか否かを示す情報を釣銭機１００から受信する（ステップＳ２２１）。
【０１０５】
受信した情報に基づいて、設定が正常に終了したか否かを判定し、設定が正常に終了した場合（ステップＳ２２３のＹＥＳ）、通知部２１０は、図１５（ａ）に示す画面１６０を表示部に表示する（ステップＳ２２５）。画面１６０には、釣銭機ＩＤが０００１の釣銭機１００の設定が正常に完了したことを示すメッセージが表示されるとともに、例えば、リスト確認ボタン１６２が表示される。リスト確認ボタン１６２の押下を受け付けると、表示処理部２１２は、図１６に示す設定確認リスト１８０を表示部に表示してもよい（不図示）。
【０１０６】
設定確認リスト１８０は、各釣銭機の識別情報（釣銭機ＩＤ）に設定完了したか否かを一覧で表示している。この例では、設定が正常の完了したことを丸印（○）で示し、設定が正常の完了しなかったことをバツ印（×）で示している。また、設定結果を未だ受信していないことをバー（−）で示している。図１６は、ＩＤ０００１の釣銭機１００は設定が正常に完了していて、ＩＤ０００２の釣銭機１００は設定結果が未受信で、ＩＤ０００３の釣銭機１００は設定エラーであることを示している。図１６は一例であり、これに限定されない。表示処理部２１２は、設定が正常に終了した設定済みの釣銭機を、未設定の釣銭機と識別可能に表示できればどのような画面であってもよい。
【０１０７】
また、設定確認リスト１８０において、設定が正常に完了した釣銭機１００の丸印は、釣銭機１００の設定値を確認する操作ボタンとして機能してもよい。丸印の押下を受け付けると当該釣銭機１００の設定値リスト（不図示）を表示してもよい。
【０１０８】
また、設定が正常に終了しなかった場合（ステップＳ２２３のＮＯ）、通知部２１０は、図１５（ｂ）に示す画面１７０を表示部に表示する（ステップＳ２２７）。画面１７０には、釣銭機ＩＤが０００１の釣銭機１００の設定が正常に終了しなかったことを示すメッセージが表示されるとともに、例えば、再送ボタン１７２が表示される。再送ボタン１７２の押下を受け付けると、ステップＳ１０３に戻り（不図示）、送信部２０４は、ＩＤ０００１の釣銭機１００に設定情報を再送することができる。
【０１０９】
また、ステップＳ２２３における釣銭機１００における設定が正常に終了した否かの判定は、釣銭機１００から受信した設定結果に基づいて行われる以外に、設定が正常に終了したことを示す情報を基準時間以内に受信しなかった場合も、設定が正常に終了しなかったと判定し、通知部２１０はその旨を通知することができる（ステップＳ２２７）。
【０１１０】
以上説明したように、本実施形態によれば、携帯端末２００から送信した設定情報に従い、釣銭機１００で設定変更が正常に完了したか否かを通知部２１０により通知したり、表示処理部２１２により設定完了状態を表示したりする。これにより、携帯端末２００からの設定変更指示に従い、正常に設定が完了したか否かを携帯端末２００で確認することができる。また、複数の釣銭機１００の設定状態（設定済みか否か、又は、設定金額詳細）を一覧で確認することができる。
【０１１１】
（第３の実施の形態）
図１７は、本実施形態の携帯端末２００の構成を論理的に示す機能ブロック図である。また、図１８は、本実施形態の店舗サーバ３００の構成を論理的に示す機能ブロック図である。
本実施形態の携帯端末２００は、設定金額を設定済みの釣銭機の識別情報を店舗サーバ３００に送信して、店舗サーバ３００が、設定変更が完了済みの釣銭機と、未完了の釣銭機とを識別可能に出力する構成を有する点以外は上記いずれかの実施形態と同様である。
【０１１２】
図１７では、携帯端末２００が、図６の第１の実施形態の携帯端末２００の構成に加え、さらに、設定完了情報送信部２１６を備えているが、他の実施形態の携帯端末２００の構成と組み合わせることもできる。
【０１１３】
携帯端末２００の設定完了情報送信部２１６は、設定金額を設定済みの釣銭機１００の識別情報を店舗サーバ３００に送信する。
【０１１４】
図１８に示すように、店舗サーバ３００は、受信部３０２と、出力部３０４と、備える。
受信部３０２は、携帯端末２００から、釣銭機１００が保持すべき設定金額の設定変更が完了した釣銭機１００の識別情報を受信する。
出力部３０４は、設定変更が完了した釣銭機１００と、未完了の釣銭機１００とを識別可能に出力する。
【０１１５】
携帯端末２００と店舗サーバ３００間は、ブルートゥース（登録商標）、赤外線通信、又は非接触ＩＣ通信等を用いた近距離無線通信で接続してデータを入出力してもよいし、無線ＬＡＮ（Local Area Network）通信でもよい。あるいは、携帯端末２００からブラウザを用いて専用ウェブサイトにログインしてアップロードし、ウェブサイトにアップロードされたデータを店舗サーバ３００の受信部３０２が取得してもよい。
【０１１６】
店舗サーバ３００の出力部３０４は、例えば、図１６の設定確認リスト１８０と同様なリストを表示部に表示する。出力方法は、例えば、店舗サーバ３００の表示部に表示してもよいし、店舗で予めユーザ登録している専用のウェブサイトに表示してもよいし、エクセルファイルデータとして出力（又はダウンロード）してもよいし、店舗サーバ３００に接続されているプリンタ（不図示）に印字出力してもよい。
【０１１７】
図１９は、本実施形態の店舗システム１の動作の一例を示すフローチャートである。
本フローは、例えば、携帯端末２００において、所定のタイミングで実行されてもよいし、店舗サーバ３００からの要求に応じて実行されてもよい。所定のタイミングとは、携帯端末２００が設定金額の変更対象とした少なくとも一つの釣銭機１００の設定結果を受信した後でもよいし、定期的でもよいし、予め設定された日時でもよいし、携帯端末２００のユーザによる送信指示を受け付けた時であってもよい。
【０１１８】
本フローが開始すると、携帯端末２００において、設定完了情報送信部２１６は、設定金額を設定済みの釣銭機１００の識別情報を店舗サーバ３００に送信する（ステップＳ３０１）。店舗サーバ３００において、受信部３０２は、携帯端末２００から釣銭機１００の識別情報を受信する（ステップＳ３１１）。そして、出力部３０４は、設定変更が完了した釣銭機と、未完了の釣銭機とを識別可能に出力する（ステップＳ３１３）。例えば、出力部３０４は、図１６の設定確認リスト１８０を出力する。例えば、店舗サーバ３００のディスプレイに表示する。
【０１１９】
以上説明したように、本実施形態によれば、釣銭機１００の設定完了状態を店舗サーバ３００に送信し、店舗サーバ３００で設定状態を表示させるので、少なくとも一つの釣銭機１００の設定完了状態を店舗サーバ３００で確認することができる。
【０１２０】
以上、図面を参照して本発明の実施形態について述べたが、これらは本発明の例示であり、上記以外の様々な構成を採用することもできる。
【０１２１】
例えば、上記実施形態の携帯端末２００のいずれかの構成に加え、さらに、複数の釣銭機１００の残金額と設定金額を集計する構成を携帯端末２００が有してもよい。
図２０は、他の実施形態の携帯端末２００の構成を論理的に示す機能ブロック図である。
携帯端末２００は、図８の第１の実施形態の携帯端末２００の構成に加え、さらに、残金額取得２２０と、差額算出部２２２を備えてもよい。なお、この実施形態の構成は、図８の第１実施形態以外の実施形態の携帯端末２００の構成と組み合わせてもよい。
【０１２２】
残金額取得２２０は、複数の釣銭機１００の各々の残金額を取得する。
差額算出部２２２は、複数の釣銭機１００の、設定金額と残金額の差額の総和を算出する。
【０１２３】
釣銭機１００の残金額の取得方法は、各釣銭機から受信してもよいし、又は、ＰＯＳ端末５又は店舗サーバ３００から複数の釣銭機１００の情報を受信してもよい。また、差額算出部２２２が算出した結果を出力してもよい。例えば、携帯端末２００の表示部に表示してもよいし、ＰＯＳ端末５又は店舗サーバ３００に送信してもよい。
【０１２４】
この構成によれば、複数の釣銭機１００の設定金額と残金額の差額の総和を算出できるので、釣銭機１００全体の釣銭の不足分のみを店舗に持ち出し、釣銭機１００全体の釣銭の超過分をバックヤードに戻せばよいので、店舗内で持ち歩く現金を最小限にすることができるので、防犯対策にもなる。さらに、店舗自体で釣銭として準備する現金も少なくすることができる。
【０１２５】
また、他の実施形態において、取引履歴を用いて釣銭種別毎に設定金額の推奨値を算出して各釣銭機１００に設定する構成を携帯端末２００さらに有してもよい。
図２１は、他の実施形態の携帯端末２００の構成を論理的に示す機能ブロック図である。
携帯端末２００は、図８の第１の実施形態の携帯端末２００の構成に加え、さらに、推奨値算出部２２４を備えてもよい。なお、この実施形態の構成は、図８の第１実施形態以外の実施形態の携帯端末２００の構成と組み合わせてもよい。
【０１２６】
推奨値算出部２２４は、取引履歴を用いて釣銭識別情報別に設定金額の推奨値を算出する。
設定金額取得部２０２は、算出された推奨値を釣銭識別情報別の設定金額として取得する。
送信部２０４は、取得した推奨値を釣銭識別情報別の設定金額として釣銭機１００に送信する。
【０１２７】
この構成によれば、取引履歴を用いて釣銭を準備することができるので、設定金額の精度が向上する可能性がある。また、店員に経験がなくても設定金額を決めることができる。
【０１２８】
以上、実施形態および実施例を参照して本願発明を説明したが、本願発明は上記実施形態および実施例に限定されるものではない。本願発明の構成や詳細には、本願発明のスコープ内で当業者が理解し得る様々な変更をすることができる。
なお、本発明において利用者に関する情報を取得、利用する場合は、これを適法に行うものとする。
【０１２９】
上記の実施形態の一部または全部は、以下の付記のようにも記載されうるが、以下に限られない。
１．  携帯型端末であって、
釣銭機が保持すべき設定金額を、釣銭識別情報別に取得する設定金額取得手段と、
取得した前記設定金額を、前記釣銭識別情報に紐づけて前記釣銭機に送信する送信手段と、を備える携帯端末。 
２．  １．に記載の携帯端末において、
前記送信手段は、近距離無線通信で、前記釣銭機に前記設定金額を送信する、携帯端末。
３．  １．又は２．に記載の携帯端末において、
前記送信手段により前記設定金額を送信した後、設定が正常に終了したことを示す情報を基準時間以内に受信しなかった場合、その旨を通知する通知手段をさらに備える携帯端末。
４．  １．から３．のいずれか一つに記載の携帯端末において、
前記送信手段は、複数の釣銭機に対して前記設定金額を送信して設定を行う、携帯端末。
５．  ４．に記載の携帯端末において、
前記複数の釣銭機の各々の残金額を取得する残金額取得手段と、
前記複数の釣銭機の、前記設定金額と前記残金額の差額の総和を算出する差額算出手段と、をさらに備える携帯端末。
６．  ４．または５．に記載の携帯端末において、
前記送信手段により前記設定金額を送信した時、設定が正常に終了した設定済みの釣銭機を、未設定の釣銭機と識別可能に表示部に表示する表示処理手段をさらに備える、携帯端末。
７．  ４．から６．のいずれか一つに記載の携帯端末において、
前記釣銭機から、前記設定金額の設定完了情報を受信する受信手段をさらに備える携帯端末。
８．  ４．から７．のいずれか一つに記載の携帯端末において、
前記設定金額を設定済みの釣銭機の識別情報を店舗サーバに送信する設定完了情報送信手段をさらに備える携帯端末。
９．  １．から８．のいずれか一つに記載の携帯端末において、
取引履歴を用いて前記釣銭識別情報別に前記設定金額の推奨値を算出する推奨値算出手段をさらに備え、
前記設定金額取得手段は、算出された前記推奨値を前記釣銭識別情報別の前記設定金額として取得し、
前記送信手段は、取得した前記推奨値を前記釣銭識別情報別の前記設定金額として前記釣銭機に送信する、携帯端末。
【０１３０】
１０．  携帯端末から、釣銭機が保持すべき設定金額の設定変更が完了した釣銭機の識別情報を受信する受信手段と、
前記設定変更が完了した釣銭機と、未完了の釣銭機とを識別可能に出力する出力手段と、を備える情報処理装置。
１１．  外部から設定情報を受信する受信手段と、
受信した前記設定情報を表示部に表示する表示処理手段と、
前記設定情報の内容承諾の入力を受信すると、前記設定情報に従い釣銭種別毎に設定金額を設定する設定手段と、を備える釣銭機。
１２．  １１．に記載の釣銭機において、
前記受信手段は、近距離無線通信で、携帯端末から前記設定情報を受信する、釣銭機。
１３．  １１．又は１２．に記載の釣銭機において、
前記設定手段による設定結果を出力する出力手段をさらに備える釣銭機。
【０１３１】
１４．  釣銭機と、
釣銭機と近距離無線通信する携帯端末と、を備え、
前記携帯端末は、
釣銭識別情報別に、設定金額を取得する設定金額取得手段と、
取得した前記設定金額を、前記釣銭識別情報に紐づけて前記釣銭機に送信する送信手段と、を備え、
前記釣銭機は、
前記携帯端末から前記釣銭識別情報に紐づけた前記設定金額を含む設定情報を受信する受信手段と、
受信した前記設定情報を表示部に表示する表示処理手段と、
前記設定情報の内容承諾の入力を受信すると、前記設定情報に従い前記釣銭識別情報別に前記設定金額を設定する設定手段と、を備える、情報処理システム。
１５．  １４．に記載の情報処理システムにおいて、
さらに、店舗サーバを備え、
前記携帯端末において、
前記送信手段は、複数の釣銭機に対して前記設定金額を送信して設定させ、
前記携帯端末は、
前記複数の釣銭機から、前記設定金額の設定完了情報を受信する受信手段と、
前記設定完了情報を受信した設定済みの釣銭機の釣銭機識別情報を前記店舗サーバに送信する設定完了情報送信手段と、をさらに備え、
前記店舗サーバは、
前記携帯端末から、前記設定済みの釣銭機の前記釣銭機識別情報を受信する受信手段と、
受信した前記設定済みの釣銭機の前記釣銭機識別情報に基づいて、設定変更が完了した釣銭機と、未完了の釣銭機とを識別可能に出力する出力手段と、を備える情報処理システム。
【０１３２】
１６．  携帯端末が、
釣銭機が保持すべき設定金額を、釣銭識別情報別に取得し、
取得した前記設定金額を、前記釣銭識別情報に紐づけて前記釣銭機に送信する、携帯端末の情報処理方法。
１７．  １６．に記載の情報処理方法において、
前記携帯端末が、近距離無線通信で、前記釣銭機に前記設定金額を送信する、情報処理方法。
１８．  １６．又は１７．に記載の情報処理方法において、
前記携帯端末が、さらに、
前記設定金額を送信した後、設定が正常に終了したことを示す情報を基準時間以内に受信しなかった場合、その旨を通知する情報処理方法。
１９．  １６．から１８．のいずれか一つに記載の情報処理方法において、
前記携帯端末が、さらに、
複数の釣銭機に対して前記設定金額を送信して設定を行う、情報処理方法。
２０．  １９．に記載の情報処理方法において、
前記携帯端末が、さらに、
前記複数の釣銭機の各々の残金額を取得し、
前記複数の釣銭機の、前記設定金額と前記残金額の差額の総和を算出する情報処理方法。
２１．  １９．または２０．に記載の情報処理方法において、
前記携帯端末が、さらに、
前記設定金額を送信した時、設定が正常に終了した設定済みの釣銭機を、未設定の釣銭機と識別可能に表示部に表示する、情報処理方法。
２２．  １９．から２１．のいずれか一つに記載の情報処理方法において、
前記携帯端末が、さらに、
前記釣銭機から、前記設定金額の設定完了情報を受信する情報処理方法。
２３．  １９．から２２．のいずれか一つに記載の情報処理方法において、
前記携帯端末が、さらに、
前記設定金額を設定済みの釣銭機の識別情報を店舗サーバに送信する情報処理方法。
２４．  １６．から２３．のいずれか一つに記載の情報処理方法において、
前記携帯端末が、さらに、
取引履歴を用いて前記釣銭識別情報別に前記設定金額の推奨値を算出し、
算出された前記推奨値を前記釣銭識別情報別の前記設定金額として取得し、
取得した前記推奨値を前記釣銭識別情報別の前記設定金額として前記釣銭機に送信する、情報処理方法。
【０１３３】
２５．  釣銭機が、
外部から設定情報を受信し、
受信した前記設定情報を表示部に表示し、
前記設定情報の内容承諾の入力を受信すると、前記設定情報に従い釣銭種別毎に設定金額を設定する、釣銭機の情報処理方法。
２６．  ２５．に記載の情報処理方法において、
前記釣銭機は、
近距離無線通信で、携帯端末から前記設定情報を受信する、情報処理方法。
２７．  ２５．又は２６．に記載の情報処理方法において、
前記釣銭機が、さらに、
設定結果を出力する情報処理方法。
【０１３４】
２８．  コンピュータに、
釣銭機が保持すべき設定金額を、釣銭識別情報別に取得する手順、
取得した前記設定金額を、前記釣銭識別情報に紐づけて前記釣銭機に送信する手順、を実行させるためのプログラム。
２９．  ２８．に記載のプログラムにおいて、
近距離無線通信で、前記釣銭機に前記設定金額を送信する手順をコンピュータに実行させるためのプログラム。
３０．  ２８．又は２９．に記載のプログラムにおいて、
前記設定金額を送信した後、設定が正常に終了したことを示す情報を基準時間以内に受信しなかった場合、その旨を通知する手順をさらにコンピュータに実行させるためのプログラム。
３１．  ２８．から３０．のいずれか一つに記載のプログラムにおいて、
複数の釣銭機に対して前記設定金額を送信して設定を行う手順をさらにコンピュータに実行させるためのプログラム。
３２．  ３１．に記載の携帯端末において、
前記複数の釣銭機の各々の残金額を取得する手順、
前記複数の釣銭機の、前記設定金額と前記残金額の差額の総和を算出する手順をさらにコンピュータに実行させるためのプログラム。
３３．  ３１．または３２．に記載のプログラムにおいて、
前記設定金額を送信した時、設定が正常に終了した設定済みの釣銭機を、未設定の釣銭機と識別可能に表示部に表示する手順をさらにコンピュータに実行させるためのプログラム。
３４．  ３１．から３３．のいずれか一つに記載のプログラムにおいて、
前記釣銭機から、前記設定金額の設定完了情報を受信する手順をさらにコンピュータに実行させるためのプログラム。
３５．  ３１．から３４．のいずれか一つに記載のプログラムにおいて、
前記設定金額を設定済みの釣銭機の識別情報を店舗サーバに送信する手順をさらにコンピュータに実行させるためのプログラム。
３６．  ２８．から３５．のいずれか一つに記載のプログラムにおいて、
取引履歴を用いて前記釣銭識別情報別に前記設定金額の推奨値を算出する手順、
算出された前記推奨値を前記釣銭識別情報別の前記設定金額として取得する手順、
取得した前記推奨値を前記釣銭識別情報別の前記設定金額として前記釣銭機に送信する手順をさらにコンピュータに実行させるためのプログラム。
【０１３５】
３７．  コンピュータに、
外部から設定情報を受信する手順、
受信した前記設定情報を表示部に表示する手順、
前記設定情報の内容承諾の入力を受信すると、前記設定情報に従い釣銭種別毎に設定金額を設定する手順、を実行させるためのプログラム。
３８．  ３７．に記載のプログラムにおいて、
近距離無線通信で、携帯端末から前記設定情報を受信する手順をさらにコンピュータに実行させるためのプログラム。
３９．  ３７．又は３８．に記載のプログラムにおいて、
前記設定する手順における設定結果を出力する手順をさらにコンピュータに実行させるためのプログラム。
【符号の説明】
【０１３６】
１  店舗システム
３ａ、３ｂ  ネットワーク
５  ＰＯＳ端末
１０  ＣＰＵ
１２  メモリ
１４  ストレージ
１６  Ｉ／Ｏ
１８  Ｉ／Ｆ
２０  コンピュータプログラム
２２  タッチパネル
２４  操作スイッチ
２６  ＬＥＤ表示器
３０  硬貨処理部
３２  紙幣処理部
３４  回収カセット処理部
３６  通信処理部
４０  硬貨投入口
４２  硬貨リジェクト口
４４  硬貨出金口
４６  紙幣入出金口
４８  回収カセット
５０  収納庫
６０  タッチパネル
６４  ガイドランプ
８０  コンピュータ
８２  ＣＰＵ
８４  メモリ
８５  ストレージ
８６  Ｉ／Ｏ
８７  通信Ｉ／Ｆ
８９  バス
９０  コンピュータプログラム
１００  釣銭機
１０２  受信部
１０４  表示処理部
１０６  設定部
１１０  設定記憶部
１２０  出力部
１５０、１５２、１５４、１６０  画面
１６２  リスト確認ボタン
１７０  画面
１７２  再送ボタン
１８０  設定確認リスト
２００  携帯端末
２０２  設定金額取得部
２０４  送信部
２１０  通知部
２１２  表示処理部
２１４  設定完了情報受信部
２１６  設定完了情報送信部
２２０  残金額取得
２２２  差額算出部
２２４  推奨値算出部
２５０  設定リスト画面
２５２  送信ボタン
２６０、２７０、２７０ｂ  画面
２７２  はいボタン
２７４  いいえボタン
３００  店舗サーバ
３０２  受信部
３０４  出力部
【図１】
2019164696.tif 000003
【図２】
2019164696.tif 000004
【図３】
2019164696.tif 000005
【図４】
2019164696.tif 000006
【図５】
2019164696.tif 000007
【図６】
2019164696.tif 000008
【図７】
2019164696.tif 000009
【図８】
2019164696.tif 000010
【図９】
2019164696.tif 000011
【図１０】
2019164696.tif 000012
【図１１】
2019164696.tif 000013
【図１２】
2019164696.tif 000014
【図１３】
2019164696.tif 000015
【図１４】
2019164696.tif 000016
【図１５】
2019164696.tif 000017
【図１６】
2019164696.tif 000018
【図１７】
2019164696.tif 000019
【図１８】
2019164696.tif 000020
【図１９】
2019164696.tif 000021
【図２０】
2019164696.tif 000022
【図２１】
2019164696.tif 000023
【手続補正書】
【提出日】令和1年6月3日(2019.6.3)
【手続補正１】
【補正対象書類名】特許請求の範囲
【補正対象項目名】全文
【補正方法】変更
【補正の内容】
【特許請求の範囲】
【請求項１】
携帯型端末であって、
釣銭機が保持すべき設定金額を、金種を示す釣銭識別情報別に取得する設定金額取得手段と、
取得した前記設定金額を、前記釣銭機に設定させるために前記釣銭識別情報に紐づけて前記釣銭機に送信する送信手段と、を備える携帯端末。
【請求項２】
請求項１に記載の携帯端末において、
前記送信手段は、近距離無線通信で、前記釣銭機に前記設定金額を送信する、携帯端末。
【請求項３】
請求項１又は２に記載の携帯端末において、
前記送信手段により前記設定金額を送信した後、設定が正常に終了したことを示す情報を基準時間以内に受信しなかった場合、その旨を通知する通知手段をさらに備える携帯端末。
【請求項４】
請求項１から３のいずれか一項に記載の携帯端末において、
前記送信手段は、複数の釣銭機に前記設定金額を設定させるために前記複数の釣銭機に対して前記設定金額を送信する、携帯端末。
【請求項５】
請求項４に記載の携帯端末において、
前記複数の釣銭機の各々の残金額を取得する残金額取得手段と、
前記複数の釣銭機の、前記設定金額と前記残金額の差額の総和を算出する差額算出手段と、をさらに備える携帯端末。
【請求項６】
請求項４または５に記載の携帯端末において、
前記送信手段により前記設定金額を送信した後、設定が正常に終了した設定済みの釣銭機を、未設定の釣銭機と識別可能に表示部に表示する表示処理手段をさらに備える、携帯端末。
【請求項７】
請求項４から６のいずれか一項に記載の携帯端末において、
前記釣銭機から、前記設定金額の設定完了情報を受信する受信手段をさらに備える携帯端末。
【請求項８】
請求項４から７のいずれか一項に記載の携帯端末において、
前記設定金額を設定済みの釣銭機の識別情報を店舗サーバに送信する設定完了情報送信手段をさらに備える携帯端末。
【請求項９】
請求項１から８のいずれか一項に記載の携帯端末において、
取引履歴を用いて前記釣銭識別情報別に前記設定金額の推奨値を算出する推奨値算出手段をさらに備え、
前記設定金額取得手段は、算出された前記推奨値を前記釣銭識別情報別の前記設定金額として取得し、
前記送信手段は、取得した前記推奨値を前記釣銭識別情報別の前記設定金額として前記釣銭機に送信する、携帯端末。
【請求項１０】
携帯端末から、釣銭機が保持すべき設定金額の設定変更が完了した釣銭機の識別情報を受信する受信手段と、
前記設定変更が完了した釣銭機と、未完了の釣銭機とを識別可能に出力する出力手段と、を備え、
前記設定金額は、前記釣銭機に設定させるために、前記携帯端末から金種を示す釣銭識別情報に紐付けられて前記釣銭機に送信される情報処理装置。
【請求項１１】
外部から当該釣銭機が保持すべき設定金額を含む設定情報を受信する受信手段と、
受信した前記設定情報を表示部に表示する表示処理手段と、
表示された前記設定情報に従い記憶部に記憶される設定情報を更新することの承諾の入力を受け付けると、前記設定情報に従い金種を示す釣銭識別情報別に設定金額を設定する設定手段と、を備え、
前記受信手段は、携帯端末から前記設定情報を受信する釣銭機。
【請求項１２】
請求項１１に記載の釣銭機において、
前記設定手段による設定結果を出力する出力手段をさらに備える釣銭機。
【請求項１３】
釣銭機と、
釣銭機と近距離無線通信する携帯端末と、を備え、
前記携帯端末は、
金種を示す釣銭識別情報別に、設定金額を取得する設定金額取得手段と、
取得した前記設定金額を、前記釣銭識別情報に紐づけて前記釣銭機に送信する送信手段と、を備え、
前記釣銭機は、
前記携帯端末から前記釣銭識別情報に紐づけ、かつ当該釣銭機が保持すべき前記設定金額を含む設定情報を受信する受信手段と、
受信した前記設定情報を表示部に表示する表示処理手段と、
表示された前記設定情報に従い記憶部に記憶される設定情報を更新することの承諾の入力を受け付けると、前記設定情報に従い前記釣銭識別情報別に前記設定金額を設定する設定手段と、を備える、情報処理システム。
【請求項１４】
請求項１３に記載の情報処理システムにおいて、
さらに、店舗サーバを備え、
前記携帯端末において、
前記送信手段は、複数の釣銭機に前記設定金額を設定させるために前記複数の釣銭機に対して前記設定金額を送信し、
前記携帯端末は、
前記複数の釣銭機から、前記設定金額の設定完了情報を受信する受信手段と、
前記設定完了情報を受信した設定済みの釣銭機の釣銭機識別情報を前記店舗サーバに送信する設定完了情報送信手段と、をさらに備え、
前記店舗サーバは、
前記携帯端末から、前記設定済みの釣銭機の前記釣銭機識別情報を受信する受信手段と、
受信した前記設定済みの釣銭機の前記釣銭機識別情報に基づいて、設定変更が完了した釣銭機と、未完了の釣銭機とを識別可能に出力する出力手段と、を備える情報処理システム。
【請求項１５】
携帯端末が、
釣銭機が保持すべき設定金額を、金種を示す釣銭識別情報別に取得し、
取得した前記設定金額を、前記釣銭機に設定させるために前記釣銭識別情報に紐づけて前記釣銭機に送信する、携帯端末の情報処理方法。
【請求項１６】
釣銭機が、
携帯端末から当該釣銭機が保持すべき設定金額を含む設定情報を受信し、
受信した前記設定情報を表示部に表示し、
表示された前記設定情報に従い記憶部に記憶される設定情報を更新することの承諾の入力を受け付けると、前記設定情報に従い、金種を示す釣銭識別情報別に設定金額を設定する、釣銭機の情報処理方法。
【請求項１７】
携帯端末を実現するコンピュータに、
釣銭機が保持すべき設定金額を、金種を示す釣銭識別情報別に取得する手順、
取得した前記設定金額を、前記釣銭機に設定させるために前記釣銭識別情報に紐づけて前記釣銭機に送信する手順、を実行させるためのプログラム。
【請求項１８】
釣銭機を実現するコンピュータに、
携帯端末から当該釣銭機が保持すべき設定金額を含む設定情報を受信する手順、
受信した前記設定情報を表示部に表示する手順、
表示された前記設定情報に従い記憶部に記憶される設定情報を更新することの承諾の入力を受け付けると、前記設定情報に従い、金種を示す釣銭識別情報別に設定金額を設定する手順、を実行させるためのプログラム。
【手続補正２】
【補正対象書類名】明細書
【補正対象項目名】０００９
【補正方法】変更
【補正の内容】
【０００９】
第一の側面は、携帯型端末に関する。
第一の側面に係る携帯型端末は、
携帯型端末であって、
釣銭機が保持すべき設定金額を、金種を示す釣銭識別情報別に取得する設定金額取得手段と、
取得した前記設定金額を、前記釣銭機に設定させるために前記釣銭識別情報に紐づけて前記釣銭機に送信する送信手段と、
を有する。
【手続補正３】
【補正対象書類名】明細書
【補正対象項目名】００１０
【補正方法】変更
【補正の内容】
【００１０】
第二の側面は、店舗サーバに関する。
第二の側面に係る店舗サーバは、
携帯端末から、釣銭機が保持すべき設定金額の設定変更が完了した釣銭機の識別情報を受信する受信手段と、
前記設定変更が完了した釣銭機と、未完了の釣銭機とを識別可能に出力する出力手段と、を有し、
前記設定金額は、前記釣銭機に設定させるために、前記携帯端末から金種を示す釣銭識別情報に紐付けられて前記釣銭機に送信される。
【手続補正４】
【補正対象書類名】明細書
【補正対象項目名】００１１
【補正方法】変更
【補正の内容】
【００１１】
第三の側面は、釣銭機に関する。
第三の側面に係る釣銭機は、
外部から当該釣銭機が保持すべき設定金額を含む設定情報を受信する受信手段と、
受信した前記設定情報を表示部に表示する表示処理手段と、
表示された前記設定情報に従い記憶部に記憶される設定情報を更新することの承諾の入力を受け付けると、前記設定情報に従い金種を示す釣銭識別情報別に設定金額を設定する設定手段と、を有し、
前記受信手段は、携帯端末から前記設定情報を受信する。
【手続補正５】
【補正対象書類名】明細書
【補正対象項目名】００１２
【補正方法】変更
【補正の内容】
【００１２】
第四の側面は、情報処理システムに関する。
第四の側面に係る情報処理システムは、
釣銭機と、
釣銭機と近距離無線通信する携帯端末と、を含み、
前記携帯端末は、
金種を示す釣銭識別情報別に、設定金額を取得する設定金額取得手段と、
取得した前記設定金額を、前記釣銭識別情報に紐づけて前記釣銭機に送信する送信手段と、を有し、
前記釣銭機は、
前記携帯端末から前記釣銭識別情報に紐づけ、かつ当該釣銭機が保持すべき前記設定金額を含む設定情報を受信する受信手段と、
受信した前記設定情報を表示部に表示する表示処理手段と、
表示された前記設定情報に従い記憶部に記憶される設定情報を更新することの承諾の入力を受け付けると、前記設定情報に従い前記釣銭識別情報別に前記設定金額を設定する設定手段と、を有する。
【手続補正６】
【補正対象書類名】明細書
【補正対象項目名】００１３
【補正方法】変更
【補正の内容】
【００１３】
第五の側面は、少なくとも１つのコンピュータにより実行される情報処理装置の情報処理方法に関する。
第五の側面に係る第一の情報処理装置は携帯端末であり、その情報処理方法は、
携帯端末が、
釣銭機が保持すべき設定金額を、金種を示す釣銭識別情報別に取得し、
取得した前記設定金額を、前記釣銭機に設定させるために前記釣銭識別情報に紐づけて前記釣銭機に送信する、ことを含む。
さらに、第五の側面に係る第二の情報処理装置は釣銭機であり、その情報処理方法は、
釣銭機が、
携帯端末から当該釣銭機が保持すべき設定金額を含む設定情報を受信し、
受信した前記設定情報を表示部に表示し、
表示された前記設定情報に従い記憶部に記憶される設定情報を更新することの承諾の入力を受け付けると、前記設定情報に従い、金種を示す釣銭識別情報別に設定金額を設定する、ことを含む。